(57)【要約】  本発明は、ノートＰＣ１００に搭載され、そのノートＰＣ１００と、そのノートＰＣ１００の外部との間の電波通信に利用されるアンテナ装置において、電波の発信および受信を行なう無線ＬＡＮ用アンテナ１８１と、誘電体で形成された、壁３０２ａおよび天井３０２ｂでその無線ＬＡＮ用アンテナ１８１を覆い、天井３０２ｂの、壁３０２ａよりも厚い２層構造でこのアンテナ装置における壁３０２ａ側の電波通信の指向性を強めるカバー３０２とを備えた。
2007100001.tif 000002
【特許請求の範囲】
【請求項１】
電子装置に搭載され、その電子装置と、その電子装置の外部との間の電波通信に利用されるアンテナ装置において、
アンテナ本体と、
誘電体で形成された、壁および天井で前記アンテナ本体を覆う、その天井の構造でこのアンテナ装置における前記壁側の電波通信の指向性を強めるアンテナカバーとを備えたことを特徴とするアンテナ装置。
【請求項２】
前記アンテナカバーが、前記天井として、厚みが前記壁の厚みよりも厚い天井を有するものであることを特徴とする請求項１記載のアンテナ装置。
【請求項３】
前記アンテナカバーが、前記天井として、複数の天井板が重なった天井を有するものであることを特徴とする請求項１記載のアンテナ装置。
【請求項４】
前記アンテナカバーが、前記天井として、前記アンテナ本体側に鋸歯状の凹凸が設けられた天井を有するものであることを特徴とする請求項１記載のアンテナ装置。
【請求項５】
前記アンテナカバーが、前記天井として、前記アンテナ本体側に四角錐状の凹凸が設けられた天井を有するものであることを特徴とする請求項１記載のアンテナ装置。
【請求項６】
前記電子装置が、携帯可能なものであることを特徴とする請求項１記載のアンテナ装置。
【請求項７】
電波通信に利用されるアンテナ装置であって、
アンテナ本体と、
誘電体で形成された、壁および天井で前記アンテナ本体を覆う、その天井の構造でこのアンテナ装置における前記壁側の電波通信の指向性を強めるアンテナカバーとを備えたアンテナ装置；
処理部；および
前記処理部の処理の対象である情報を前記アンテナ装置の電波通信で外部と授受する通信部；
を備えたことを特徴とする電子装置。
【請求項８】
前記アンテナカバーが、前記天井として、厚みが前記壁の厚みよりも厚い天井を有するものであることを特徴とする請求項７記載の電子装置。
【請求項９】
前記アンテナカバーが、前記天井として、複数の天井板が重なった天井を有するものであることを特徴とする請求項７記載の電子装置
【請求項１０】
前記アンテナカバーが、前記天井として、前記アンテナ本体側に鋸歯状の凹凸が設けられた天井を有するものであることを特徴とする請求項７記載の電子装置
【請求項１１】
前記アンテナカバーが、前記天井として、前記アンテナ本体側に四角錐状の凹凸が設けられた天井を有するものであることを特徴とする請求項７記載の電子装置。
【請求項１２】
前記電子装置が、携帯可能なものであることを特徴とする請求項７記載の電子装置
【請求項１３】
前記電子装置が、被載置面を有する本体部と該本体部に対して開閉自在に連結された蓋部とで構成され、前記蓋部に前記アンテナ装置と前記アンテナカバーを内蔵していることを特徴とする請求項７記載の電子装置
【請求項１４】
電波通信に利用されるアンテナ装置を備えた電子装置に適用されるアンテナカバーであって、
誘電体で形成された二つの壁部と、
その両端に前記二つの壁部のそれぞれが連結された天井部とを備え、
前記二つの壁部と前記天井部で前記アンテナ装置のアンテナ本体を覆い、前記天井部の構造で前記アンテナ装置における前記壁部への電波指向性を強めるよう構成したアンテナカバー。
【請求項１５】
前記天井部として、厚みが前記壁部の厚みよりも厚い天井を有するものであることを特徴とする請求項１４記載のアンテナカバー。
【請求項１６】
前記天井部として、複数の天井板が重なった天井を有するものであることを特徴とする請求項１４記載のアンテナカバー。
【請求項１７】
前記天井部として、前記アンテナ本体側に鋸歯状の凹凸が設けられた天井を有するものであることを特徴とする請求項１４記載のアンテナカバー。
【請求項１８】
前記アンテナカバーが、前記天井として、前記アンテナ本体側に四角錐状の凹凸が設けられた天井を有するものであることを特徴とする請求項１４記載のアンテナカバー。
【請求項１９】
前記電子装置が、携帯可能なものであることを特徴とする請求項１４記載のアンテナカバー。
【発明の詳細な説明】
【技術分野】
【０００１】
本発明は、電波通信に利用されるアンテナ装置、そのようなアンテナ装置を搭載した電子装置、および、そのようなアンテナ装置に使われるアンテナカバーに関する。
【背景技術】
【０００２】
複数台のコンピュータを互いにケーブルで接続することでいわゆるＬＡＮ（Ｌｏｃａｌ  Ａｒｅａ  Ｎｅｔｗｏｒｋ）を構築する技術が、オフィス等において普及している。ここで、このような有線でＬＡＮを構築する技術には、ケーブルの設置工事に時間やコストがかかることが多い上、場所によってはケーブルの設置が困難でＬＡＮの構築ができない等といった問題がある。また、近年では、持ち運びに便利なノート型のパーソナルコンピュータ（ノートＰＣ）が使われることが多いが、有線で構築されたＬＡＮにノートＰＣが組み込まれると、そのノートＰＣの持ち運びについての利便性が損なわれてしまう等といった問題もある。【０００３】
そこで、近年、複数台のコンピュータを無線通信によって互いに接続することで構築されるＬＡＮ、いわゆる無線ＬＡＮの需要が高まっている。【０００４】
無線ＬＡＮには、アクセスポイントと呼ばれる中継機器を介して通信が行なわれるタイプや、アクセスポイントを介さずにコンピュータ間で直接に通信が行なわれるタイプがあるが、いずれのタイプでも、各コンピュータに電波通信用のアンテナ装置を搭載する必要がある。ここで、このような無線ＬＡＮにおける無線通信は、１つの部屋の中や互いに隣り合っている部屋どうしの間等といった、水平方向に広がる空間内で行なわれることが多い。このため、このような無線ＬＡＮに利用される無線ＬＡＮ用アンテナ装置は、水平方向の指向性が、鉛直方向の指向性に比べて強くなっていることが望ましい。【０００５】
従来、アンテナ装置について所望の指向性を得るための技術として、例えば、アンテナ装置を構成するアンテナの形状を所望の指向性に応じた形状に設計する技術や（例えば、特許文献１参照。）、あるいは、アンテナと、そのアンテナの指向性を変える働きをする無給電端子とでアンテナ装置を構成し、その無給電端子を所望の指向性に応じた位置に配置する技術等が提案されている。また、アンテナ装置における所望の受信特性や送信特性を得るための技術として、例えば、アンテナを覆うカバーに対して、上方からの電波に対するそのカバー越しの受信特性を好ましい特性にするためにカバー形状に工夫を施すという技術や（例えば、特許文献２参照。）、あるいは、アンテナを覆うカバーに対して、電波のそのカバー越しの上方への送信特性を好ましい特性にするためにカバー形状に工夫を施すという技術（例えば、特許文献３参照。）等が提案されている。
【特許文献１】特開平１１−１２２０２２号公報
【特許文献２】特開２００１−２４４７１６号公報
【特許文献３】特開２００４−１５４０８号公報
【発明の開示】
【０００６】
ここで、上記の特許文献２や特許文献３に示す技術では、アンテナを覆うカバーに、アンテナが送受信する電波の波長に対して十分な厚みや広さを持たせる必要がある。ところが、例えばノートＰＣに搭載される無線ＬＡＮ用アンテナ装置等といった、携帯可能な機器に搭載されるアンテナ装置の多くは、設置のためのスペースが限られている。そのため、このようなアンテナ装置に特許文献２や特許文献３に示す技術を適用して、望ましい指向性を得ることができるほどの厚みや広さをアンテナを覆うカバーに持たせることには無理がある。
【０００７】
また、特許文献１の技術を適用して、アンテナ装置を構成するアンテナの形状を、水平方向に強い指向性が得られるような形状に設計することは理論上では可能だが、アンテナの形状設計には、指向性以外にも、電波通信の効率等といった様々な要因が関わってくるためこれらの要因を全て考慮して最適な形状を設計するには熟練を要する。また、上記の無給電端子を用いる技術によれば、無給電端子の最適な配置を例えば試行錯誤等によって決めて望ましい指向性パターンを得ることができるが、上記の特許文献２や特許文献３に示す技術の場合と同様に、設置のためのスペースの観点から、携帯可能な機器に搭載されるアンテナ装置に適用するには無理がある。
【０００８】
本発明は、上記事情に鑑み、水平方向に対する強い指向性を、設置スペースの増加を抑えて容易に得ることができるアンテナ装置と、そのようなアンテナ装置を使って水平方向に対する情報の授受を良好に行なうことができる電子装置と、そのようなアンテナ装置に使われるアンテナカバーとを提供することを目的とする。
【０００９】
上記目的を達成する本発明のアンテナ装置は、電子装置に搭載され、その電子装置と、その電子装置の外部との間の電波通信に利用されるアンテナ装置において、
アンテナ本体と、
誘電体で形成された、壁および天井で上記アンテナ本体を覆う、その天井の構造でこのアンテナ装置における上記壁側の電波通信の指向性を強めるアンテナカバーとを備えたことを特徴とする。
【００１０】
従来、誘電体のカバーでアンテナを覆ったとき、そのカバーの厚みが電波の波長に対して十分に薄く、また、そのカバーの広さが電波の波長に対して十分に狭い場合には、カバーが電波の指向性に与える影響は殆ど無いものと考えられていた。ところが、本件発明者が本発明に関連して行なった後述の実験により、そのような薄く狭いカバーでアンテナを覆うと、カバーを通過する電波が拡散されることが見出され、さらに、そのような拡散効果が、カバーの構造に左右されることが見出されている。本発明は、このような実験結果を受けてなされたものであり、上記の本発明のアンテナ装置によれば、例えば上記天井に上記壁よりも電波に対する拡散効果が強くなる構造を持たせ、電波を上記壁側に多く拡散させることによって、その壁側の指向性を強めることができる。従って、この本発明のアンテナ装置を、例えば、水平方向に上記壁が向くように上記電子装置に搭載するといった容易な運用により、水平方向に強い指向性を得ることができる。また、本発明のアンテナ装置によれば、上記電子装置に搭載するに当たって、その電子装置の筐体の一部を上記アンテナカバーで置き換える等といった運用が可能であるため、搭載のための特別な追加スペースが不要である。つまり、本発明のアンテナ装置によれば、望ましい指向性を、設置スペースの増加を抑えて容易に得ることができる。
【００１１】
ここで、本発明のアンテナ装置において、「上記アンテナカバーが、上記天井として、厚みが上記壁の厚みよりも厚い天井を有するものである」という形態は好ましい形態である。
【００１２】
上記の実験では、アンテナを覆う誘電体のカバーによる電波の拡散効果が、カバーの厚みが厚いほど強く現れることが見出されている。上記の好ましい形態のアンテナ装置によれば、上記天井の厚みが上記壁よりも厚く電波がその壁側に多く拡散されることから、その壁側の指向性が強まることとなる。
【００１３】
また、本発明のアンテナ装置において、「上記アンテナカバーが、上記天井として、複数の天井板が重なった天井を有するものである」という形態も好ましい。
【００１４】
上記の実験では、アンテナを覆う誘電体のカバーによる電波の拡散効果が、複数枚のカバーを重ねると強く現れることも見出されている。上記の好ましい形態のアンテナ装置によれば、上記天井が複数の天井板が重なった構造を有し電波が上記壁側に多く拡散されることから、その壁側の指向性が強まることとなる。
【００１５】
また、本発明のアンテナ装置において、「上記アンテナカバーが、上記天井として、上記アンテナ本体側に鋸歯状の凹凸が設けられた天井を有するものである」という形態も好ましい。
【００１６】
この好ましい形態のアンテナ装置によれば、上記鋸歯状の凹凸が引き起こす電波の反射や屈折や回折等によって電波が上記壁側に多く拡散されることから、その壁側の指向性が強まることとなる。
【００１７】
また、本発明のアンテナ装置において、「上記アンテナカバーが、上記天井として、上記アンテナ本体側に四角錐状の凹凸が設けられた天井を有するものである」という形態も好ましい。
【００１８】
この好ましい形態のアンテナ装置によれば、上記四角錐状の凹凸が引き起こす電波の反射や屈折や回折等によって電波が上記壁側に多く拡散されることから、その壁側の指向性が強まることとなる。
【００１９】
また、本発明のアンテナ装置は、「上記電子装置が、携帯可能なものである」という形態であっても良い。
【００２０】
このような形態のアンテナ装置を無線ＬＡＮ用アンテナ装置として利用することで、例えばノートＰＣ等といった携帯可能な電子装置を無線ＬＡＮに組み込むことができる。
【００２１】
また、上記目的を達成する本発明の電子装置は、電波通信に利用されるアンテナ装置であって、
アンテナ本体と、
誘電体で形成された、壁および天井で上記アンテナ本体を覆う、その天井の構造でこのアンテナ装置における上記壁側の電波通信の指向性を強めるアンテナカバーとを備えたアンテナ装置；
情報処理を行なう処理部；および
上記処理部の情報処理の対象である情報を上記アンテナ装置の電波通信で外部と授受する通信部；
を備えたことを特徴とする。
【００２２】
本発明の電子装置によれば、例えば、水平方向に上記壁が向くように上記アンテナ装置を搭載するといった容易な運用により、水平方向に強い指向性を得ることができる。これにより、水平方向に対する情報の授受を良好に行なうことができる。
【００２３】
また、本発明の電子装置において、「上記アンテナカバーが、上記天井として、厚みが上記壁の厚みよりも厚い天井を有するものである」という形態や、
「上記アンテナカバーが、上記天井として、複数の天井板が重なった天井を有するものである」という形態や、
「上記アンテナカバーが、上記天井として、上記アンテナ本体側に鋸歯状の凹凸が設けられた天井を有するものである」という形態や、
「上記アンテナカバーが、上記天井として、上記アンテナ本体側に四角錐状の凹凸が設けられた天井を有するものである」という形態という形態は好ましい形態である。
【００２４】
また、本発明の本発明の電子装置は、「上記電子装置が、携帯可能なものである」という形態であっても良く、あるいは、
「上記電子装置が、被載置面を有する本体部とその本体部に対して開閉自在に連結された蓋部とで構成され、上記蓋部に上記アンテナ装置と上記アンテナカバーを内蔵している」という形態であっても良い。
【００２５】
また、上記目的を達成する本発明のアンテナカバーは、電波通信に利用されるアンテナ装置を備えた電子装置に適用されるアンテナカバーであって、
誘電体で形成された二つの壁部と、
その両端に上記二つの壁部のそれぞれが連結された天井部とを備え、
上記二つの壁部と上記天井部で上記アンテナ装置のアンテナ本体を覆い、上記天井部の構造で上記アンテナ装置における上記壁部への電波指向性を強めるよう構成したことを特徴とする。
【００２６】
本発明のアンテナカバーによれば、水平方向に対する強い指向性を、設置スペースの増加を抑えて容易に得ることができるアンテナ装置や、水平方向に対する情報の授受を良好に行なうことができる電子装置を容易に実現することができる。
【００２７】
また、本発明のアンテナカバーにおいて、「上記天井部として、厚みが上記壁部の厚みよりも厚い天井を有するものである」という形態や、
「上記天井部として、複数の天井板が重なった天井を有するものである」という形態や、
「上記天井部として、上記アンテナ本体側に鋸歯状の凹凸が設けられた天井を有するものである」という形態や、
「上記アンテナカバーが、上記天井として、上記アンテナ本体側に四角錐状の凹凸が設けられた天井を有するものである」という形態は好ましい形態である。
【００２８】
また、本発明のアンテナカバーは、「上記電子装置が、携帯可能なものである」という形態であっても良い。
【００２９】
以上、説明したように、本発明によれば、水平方向に対する強い指向性を、設置スペースの増加を抑えて容易に得ることができるアンテナ装置と、そのようなアンテナ装置を使って水平方向に対する情報の授受を良好に行なうことができる電子装置と、そのようなアンテナ装置に使われるアンテナカバーとを提供することができる。
【図面の簡単な説明】
【００３０】
【図１】本発明のアンテナ装置の一実施形態が適用されたノート型のパーソナルコンピュータ（ノートＰＣ）の外観図である。
【図２】ノートＰＣのハードウェア構成図である。
【図３】無線ＬＡＮ用アンテナ１８１の周辺部分Ａの構造を示す図である。
【図４】カバー無しの状態の実験対象のアンテナを示す図である。
【図５】第１の試験用カバーで覆われた状態の実験対象のアンテナを示す図である。
【図６】第２の試験用カバーで覆われた状態の実験対象のアンテナを示す図である。
【図７】カバー無しの状態に対して、２４００ＭＨｚから５１００ＭＨｚまでの間の６種類の周波数について計測された指向性パターンを示す図である。
【図８】カバー無しの状態に対して、５１５０ＭＨｚから５８７５ＭＨｚまでの間の６種類の周波数について計測された指向性パターンを示す図である。
【図９】第１の試験用カバー５０３有りの状態に対して、２４００ＭＨｚから５１００ＭＨｚまでの間の６種類の周波数について計測された指向性パターンを示す図である。
【図１０】第１の試験用カバー５０３有りの状態に対して、５１５０ＭＨｚから５８７５ＭＨｚまでの間の６種類の周波数について計測された指向性パターンを示す図である。
【図１１】第２の試験用カバー５０４有りの状態に対して、２４００ＭＨｚから５１００ＭＨｚまでの間の６種類の周波数について計測された指向性パターンを示す図である。
【図１２】第２の試験用カバー５０４有りの状態に対して、５１５０ＭＨｚから５８７５ＭＨｚまでの間の６種類の周波数について計測された指向性パターンを示す図である。
【図１３】本発明にいうアンテナカバーの別例を示す図である。
【図１４】アンテナカバーにおける鋸歯状の凹凸が電波を拡散させることに有効であることを実証するための実験に使用されたノートＰＣの外観図である。
【図１５】図１４に示すノートＰＣ７００に対して、２４００ＭＨｚから２５００ＭＨｚまでの間の３種類の周波数について計測された指向性パターンを示す図である。
【図１６】図１４のノートＰＣ７００に対して、２６００ＭＨｚから５２５０ＭＨｚまでの間の３種類の周波数について計測された指向性パターンを示す図である。
【図１７】図１４のノートＰＣ７００に対して、５３５０ＭＨｚから５６００ＭＨｚまでの間の３種類の周波数について計測された指向性パターンを示す図である。
【図１８】図１４のノートＰＣ７００に対して、５７２５ＭＨｚから５８４０ＭＨｚまでの間の３種類の周波数について計測された指向性パターンを示す図である。
【図１９】図１４のノートＰＣ７００に第３の試験用カバーを取り付けた状態を示す図である。
【図２０】図１９に示す状態のノートＰＣ７００に対して、２４００ＭＨｚから２５００ＭＨｚまでの間の３種類の周波数について計測された指向性パターンを示す図である。
【図２１】図１９に示す状態のノートＰＣ７００に対して、２６００ＭＨｚから５２５０ＭＨｚまでの間の３種類の周波数について計測された指向性パターンを示す図である。
【図２２】図１９に示す状態のノートＰＣ７００に対して、５３５０ＭＨｚから５６００ＭＨｚまでの間の３種類の周波数について計測された指向性パターンを示す図である。
【図２３】図１９に示す状態のノートＰＣ７００に対して、５７２５ＭＨｚから５８５０ＭＨｚまでの間の３種類の周波数について計測された指向性パターンを示す図である。
【図２４】図１４のノートＰＣ７００に第４の試験用カバーを取り付けた状態を示す図である。
【図２５】図２４に示す状態のノートＰＣ７００に対して、２４００ＭＨｚから２５００ＭＨｚまでの間の３種類の周波数について計測された指向性パターンを示す図である。
【図２６】図２４に示す状態のノートＰＣ７００に対して、２６００ＭＨｚから５２５０ＭＨｚまでの間の３種類の周波数について計測された指向性パターンを示す図である。
【図２７】図２４に示す状態のノートＰＣ７００に対して、５３５０ＭＨｚから５６００ＭＨｚまでの間の３種類の周波数について計測された指向性パターンを示す図である。
【図２８】図２４に示す状態のノートＰＣ７００に対して、５７２５ＭＨｚから５８５０ＭＨｚまでの間の３種類の周波数について計測された指向性パターンを示す図である。
【図２９】図１４のノートＰＣ７００に第５の試験用カバーを取り付けた状態を示す図である。
【図３０】図２９に示す状態のノートＰＣ７００に対して、２４００ＭＨｚから２５００ＭＨｚまでの間の３種類の周波数について計測された指向性パターンを示す図である。
【図３１】図２９に示す状態のノートＰＣ７００に対して、２６００ＭＨｚから５２５０ＭＨｚまでの間の３種類の周波数について計測された指向性パターンを示す図である。
【図３２】図２９に示す状態のノートＰＣ７００に対して、５３５０ＭＨｚから５６００ＭＨｚまでの間の３種類の周波数について計測された指向性パターンを示す図である。
【図３３】図２９に示す状態のノートＰＣ７００に対して、５７２５ＭＨｚから５８５０ＭＨｚまでの間の３種類の周波数について計測された指向性パターンを示す図である。
【図３４】四角錐状の凹凸の一例を示す図である。
【発明を実施するための最良の形態】
【００３１】
以下図面を参照して本発明の実施の形態を説明する。【００３２】
図１は、本発明の一実施形態であるノート型のパーソナルコンピュータ（ノートＰＣ）の外観図であり、図２は、そのノートＰＣのハードウェア構成図である。【００３３】
ここで、このノートＰＣ１００は、本発明の電子装置の一実施形態に相当する。【００３４】
このノートＰＣ１００は、被載置面である底面を有する本体部２００と、その本体部２００に対し開閉自在で、このノートＰＣ１００の不使用時には閉じられ使用時には開かれる蓋部３００とからなる。【００３５】
図１には、このノートＰＣ１００の使用時の状態が示されている。【００３６】
本体部２００には、キーボード２０１、ポインティングデバイス２０２、内部にスピーカが配備された発音部２０３、フレキシブルディスク（ＦＤ）が装填されるＦＤ装填口２０４、およびＣＤ−ＲＯＭが装填されるＣＤ−ＲＯＭ装填口２０５等が配備されている。【００３７】
また、蓋部３００の、閉じた状態における内側の面には、液晶表示画面３０１が備えられている。さらに、その蓋部３００の、開いた状態における上部左側の端部には、このノートＰＣ１００を無線ＬＡＮに組み込むための無線ＬＡＮ用アンテナ１８１が内蔵されている。【００３８】
また、図２に示すように、このノートＰＣ１００には、各種プログラムを実行するＣＰＵ１１１、ＣＰＵ１１１で実行されるプログラムが展開されるＲＡＭ１１２、内蔵されたハードディスク１４０をアクセスするハードディスクドライブ１１３、図１に示すＦＤ装填口２０４から装填されたＦＤ１５０をアクセスするＦＤドライブ１１４、図１に示すＣＤ−ＲＯＭ装填口２０５から装填されたＣＤ−ＲＯＭ１６０をアクセスするＣＤ−ＲＯＭドライブ１１５、図１にも示すポインティングデバイス２０２の操作情報をＣＰＵ１１１に伝えるポインティングデバイスコントローラ１１６、キーボード２０１の操作情報をＣＰＵ１１１に伝えるキーボードコントローラ１１７、ＣＰＵ１１１の指示に応じて液晶表示画面３０１上への表示画面を制御するディスプレイコントローラ１１８、ＣＰＵ１１１の指示に応じて、図１の発音部２０３に配置されたスピーカ１７０から音声を出力させるオーディオ部１１９、および、図１にも示す無線ＬＡＮ用アンテナ１８１を介しての無線ＬＡＮ通信を司る無線ＬＡＮ通信ボード１２０が備えられており、これらはバス１１０で相互に接続されている。【００３９】
ここで、上記のＣＰＵ１１１および無線ＬＡＮ通信ボード１２０は、それぞれ本発明の電子装置における処理部および通信部の各一例に相当する。【００４０】
無線ＬＡＮにおける無線通信は、１つの部屋の中や互いに隣り合っている部屋どうしの間等といった、水平方向に広がる空間内で行なわれることが多い。このため、このノートＰＣ１００のように、無線ＬＡＮに組み込まれるパーソナルコンピュータにおける通信機能は、水平方向についてなるべく強い指向性を有していることが望ましい。【００４１】
本実施形態では、通信機能におけるこのような指向性が、このノートＰＣ１００内に内蔵されている無線ＬＡＮ用アンテナ１８１を含む、この無線ＬＡＮ用アンテナ１８１の周辺部分Ａ（図１参照）の構造によって実現されている。以下、その周辺部分Ａの構造について説明する。尚、以下の説明では、図１および図２に示す構成要素について特に図番を断らずに参照する。【００４２】
図３は、無線ＬＡＮ用アンテナ１８１の周辺部分Ａの構造を示す図である。【００４３】
この図３には、蓋部３００に内蔵された無線ＬＡＮ用アンテナ１８１が見えるように、上記の蓋部３００のカバー３０２が部分的に除かれた状態で上記の周辺部分Ａが示されている。【００４４】
無線ＬＡＮ用アンテナ１８１は、電波を送受信する送受信部分１８１ａと、その送受信部分１８１ａと一体的に形成され、その送受信部分１８１ａを支持すると共に他の部品に固定される被固定部分１８１ｂと、送受信部分１８１ａと無線ＬＡＮ通信ボード１２０とを電気的に結ぶケーブル１８１ｃとで構成されている。この無線ＬＡＮ用アンテナ１８１が、本発明にいうアンテナ本体の一例に相当する。【００４５】
カバー３０２の内部には、液晶パネル３０１を支持する枠体３０３が在る。ここで、この枠体３０３における上面３０３ａは、図１に示すこのノートＰＣ１００の使用時すなわち蓋部３００が開かれた状態にある時には水平方向に広がる面となる。【００４６】
無線ＬＡＮ用アンテナ１８１は、この枠体３０３に、図３に示すように送受信部分１８１ａが上面３０３ａに対して立った状態となるように固定される。【００４７】
カバー３０２は、誘電体である樹脂材料で形成されたものであり、２枚の壁３０２ａと、天井３０２ｂとを備えている。ここで、天井３０２ｂは、２枚の天井板３０２ｂ＿１，３０２ｂ＿２が重なった２層構造となっており、さらに、厚みが壁３０２ａの厚みよりも厚くなっている。このカバー３０２が、本発明にいうアンテナカバーの一例に相当し、壁３０２ａおよび天井３０２ｂが、それぞれ本発明にいう壁および天井の各一例に相当し、また、上記の２枚の天井板３０２ｂ＿１，３０２ｂ＿２が、本発明にいう「複数の天井板」の一例に相当する。そして、上記の無線ＬＡＮ用アンテナ１８１とカバー３０２とを合わせたものが、本発明のアンテナ装置の一実施形態に相当する。また、カバー３０２が、本発明のアンテナカバーの一実施形態に相当する。【００４８】
この図３に示す構造では、水平方向に進む電波は主に壁３０２ａを通過し、鉛直方向に進む電波は主に天井３０２ｂを通過する。【００４９】
ところで、このカバー３０２の材質は上述したように誘電体であるが、従来、誘電体のカバーでアンテナを覆ったとき、そのカバーの厚みが電波の波長に対して十分に薄く、また、そのカバーの広さが電波の波長に対して十分に狭い場合には、カバーが電波の指向性に与える影響は殆ど無いものと考えられていた。ところが、今回、本発明がなされるに当たって行なわれた次のような実験によって、そのような薄く狭いカバーであっても電波の指向性に影響を与え、さらに、その影響が、カバーの構造に左右されることが分かった。以下、この実験について説明する。【００５０】
この実験では、本実施形態における無線ＬＡＮ用アンテナ１８１と同等なアンテナが実験対象として用いられ、カバー無しの状態におけるアンテナの指向性パターンと、試験用カバーで実験対象のアンテナを覆った状態におけるカバー越しの指向性パターンとのそれぞれが計測される。また、試験用カバーについては、構造が互いに異なる２種類のものが用意され、それぞれの試験用カバーを使った場合について指向性パターンが計測される。【００５１】
図４は、カバー無しの状態の実験対象のアンテナを示す図であり、図５は、第１の試験用カバーで覆われた状態の実験対象のアンテナを示す図であり、図６は、第２の試験用カバーで覆われた状態の実験対象のアンテナを示す図である。【００５２】
図４、図５、および図６に示すように、実験対象のアンテナ５０１は、電波を送受信する送受信部分５０１ａが、試験用の設置面５０２に対して立った状態となるように固定される。また、第１の試験用カバー５０３は、天井や壁の幅が電波の波長に対して十分に狭い、コの字型に成形された厚さ１ｍｍの誘電体であり、図５に示すように、実験対象のアンテナ５０１から見た水平方向の３６０度の方向のうち９０度方向と２７０度方向とが開いた状態でその実験対象のアンテナ５０１を覆うように固定される。また、第２の試験用カバー５０４は、図６に示すように、上記のようなコの字型に成形された厚さ１ｍｍの２つの誘電体５０４ａ，５０４ｂが２層に重なった構造となっている。また、この第２の試験用カバー５０４も、上記の第１の試験用カバー５０３と同様に、実験対象のアンテナ５０１から見た９０度方向と２７０度方向とが開いた状態でその実験対象のアンテナ５０１を覆うように固定される。【００５３】
この実験では、カバー無しの状態（図４参照）と、第１の試験用カバー５０３有りの状態（図５参照）と、第２の試験用カバー５０４有りの状態（図６参照）とのそれぞれについて、実験対象のアンテナ５０１を中心とした水平方向のＸＹ平面上における、その実験対象のアンテナ５０１から見た３６０度の方向の指向性パターンが計測される。また、指向性パターンは、実験対象のアンテナ５０１で送受信される垂直偏波と水平偏波とのそれぞれについて計測され、その計測は、無線ＬＡＮにおける通信で使われることが多い電波の周波数のうち、２４００ＭＨｚから５８７５ＭＨｚまでの間の１２種類の周波数について実行される。【００５４】
以下、実験結果を示す。【００５５】
図７は、カバー無しの状態に対して、２４００ＭＨｚから５１００ＭＨｚまでの間の６種類の周波数について計測された指向性パターンを示す図であり、図８は、カバー無しの状態に対して、５１５０ＭＨｚから５８７５ＭＨｚまでの間の６種類の周波数について計測された指向性パターンを示す図である。【００５６】
図７のパート（ａ）、パート（ｂ）、パート（ｃ）、パート（ｄ）、パート（ｅ）、およびパート（ｆ）には、それぞれ２４００ＭＨｚ、２４５０ＭＨｚ、２５００ＭＨｚ、４９００ＭＨｚ、５０００ＭＨｚ、および５１００ＭＨｚの各周波数について計測された垂直偏波の指向性パターンＰＶと水平偏波の指向性パターンＰＨとが示されており、図８のパート（ａ）、パート（ｂ）、パート（ｃ）、パート（ｄ）、パート（ｅ）、およびパート（ｆ）には、それぞれ５１５０ＭＨｚ、５２５０ＭＨｚ、５３５０ＭＨｚ、５４７０ＭＨｚ、５７３０ＭＨｚ、および５８７５ＭＨｚの各周波数について計測された垂直偏波の指向性パターンＰＶと水平偏波の指向性パターンＰＨとが示されている。【００５７】
図９は、第１の試験用カバー５０３有りの状態に対して、２４００ＭＨｚから５１００ＭＨｚまでの間の６種類の周波数について計測された指向性パターンを示す図であり、図１０は、第１の試験用カバー５０３有りの状態に対して、５１５０ＭＨｚから５８７５ＭＨｚまでの間の６種類の周波数について計測された指向性パターンを示す図である。【００５８】
上記の図７および図８と同様に、図９のパート（ａ）、パート（ｂ）、パート（ｃ）、パート（ｄ）、パート（ｅ）、およびパート（ｆ）には、それぞれ２４００ＭＨｚ、２４５０ＭＨｚ、２５００ＭＨｚ、４９００ＭＨｚ、５０００ＭＨｚ、および５１００ＭＨｚの各周波数について計測された垂直偏波の指向性パターンＰＶと水平偏波の指向性パターンＰＨとが示されており、図１０のパート（ａ）、パート（ｂ）、パート（ｃ）、パート（ｄ）、パート（ｅ）、およびパート（ｆ）には、それぞれ５１５０ＭＨｚ、５２５０ＭＨｚ、５３５０ＭＨｚ、５４７０ＭＨｚ、５７３０ＭＨｚ、および５８７５ＭＨｚの各周波数について計測された垂直偏波の指向性パターンＰＶと水平偏波の指向性パターンＰＨとが示されている。【００５９】
ここで、図７および図８に示すカバー無しの場合の各指向性パターンと、図９および図１０に示す第１の試験用カバー５０３有りの場合の各指向性パターンとを、周波数が同じものどうし互いに比較してみる。すると、いずれの周波数についても、第１の試験用カバー５０３有りの場合の指向性パターンにおける０度付近および１８０度付近の方向についての指向性が、カバー無しの場合の指向性パターンにおける０度付近および１８０度付近の方向についての指向性よりも弱くなり、第１の試験用カバー５０３有りの場合の指向性パターンにおける９０度付近および２７０度付近の方向についての指向性が、カバー無しの場合の指向性パターンにおける９０度付近および２７０度付近の方向についての指向性よりも強くなっていることが分かる。【００６０】
ここで、０度付近および１８０度付近の方向は、図３に示すように、第１の試験用カバー５０３で覆われる方向である。この実験結果から、実験対象のアンテナ５０１で送受信される電波が第１の試験用カバー５０３によって拡散されて、電波の指向性パターンが、第１の試験用カバー５０３の壁で覆われている方向についての指向性が弱くなり、開いている方向についての指向性が強くなる形に変形するということが分かる。また、上記の各周波数を波長に換算したとき最も波長が長くなるのは２４００ＭＨｚであって波長はおよそ１２５ｍｍとなる。即ち、電波に対する誘電体のカバーの拡散効果は、そのカバーの広さが電波の波長に対して十分に狭く、そのカバーの厚みが電波の波長に対して十分に薄い場合でも確実に生じるということが分かる。【００６１】
図１１は、第２の試験用カバー５０４有りの状態に対して、２４００ＭＨｚから５１００ＭＨｚまでの間の６種類の周波数について計測された指向性パターンを示す図であり、図１２は、第２の試験用カバー５０４有りの状態に対して、５１５０ＭＨｚから５８７５ＭＨｚまでの間の６種類の周波数について計測された指向性パターンを示す図である。【００６２】
上記の図７および図８や、図９および図１０と同様に、図１１のパート（ａ）、パート（ｂ）、パート（ｃ）、パート（ｄ）、パート（ｅ）、およびパート（ｆ）には、それぞれ２４００ＭＨｚ、２４５０ＭＨｚ、２５００ＭＨｚ、４９００ＭＨｚ、５０００ＭＨｚ、および５１００ＭＨｚの各周波数について計測された垂直偏波の指向性パターンＰＶと水平偏波の指向性パターンＰＨとが示されており、図１２のパート（ａ）、パート（ｂ）、パート（ｃ）、パート（ｄ）、パート（ｅ）、およびパート（ｆ）には、それぞれ５１５０ＭＨｚ、５２５０ＭＨｚ、５３５０ＭＨｚ、５４７０ＭＨｚ、５７３０ＭＨｚ、および５８７５ＭＨｚの各周波数について計測された垂直偏波の指向性パターンＰＶと水平偏波の指向性パターンＰＨとが示されている。【００６３】
この図１１および図１２に示されている各指向性パターンも、図９および図１０に示されている各指向性パターンと同様に、図７および図８に示されているカバー無しの場合の各指向性パターンに比べて、壁で覆われている方向についての指向性が弱くなり、開いている方向についての指向性が強くなる形に変形されたものとなっている。さらに、図１１および図１２に示されている第２の試験用カバー５０４についての各指向性パターンと、図９および図１０に示されている第１の試験用カバー５０３についての各指向性パターンとを互いに比較すると、第２の試験用カバー５０４についての各指向性パターンの方が、第１の試験用カバー５０３についての各指向性パターンよりも上記の変形の程度が大きいことが分かる。ここで、第２の試験用カバー５０４は、上記のように２つの誘電体５０４ａ，５０４ｂ（図７参照）からなる２層構造を有しており、その結果、カバーの厚みが第１の試験用カバー５０３の厚みの２倍となっている。このことから、電波に対する誘電体のカバーの拡散効果は、そのカバーの構造に左右されることが分かる。【００６４】
以上、図４から図１２までを参照して説明した実験により、電波の波長に対して十分に薄く、広さが電波の波長に対して十分に狭い誘電体のカバーであっても電波に対して拡散効果を発揮し、さらに、その拡散効果が、カバーの構造に左右されることが分かる。【００６５】
再び、図３に戻って説明を続ける。【００６６】
この図３に示す構造では、無線ＬＡＮ用アンテナ１８１はカバー３０２で完全に覆われる。このとき、水平方向に進む電波はカバー３０２の壁３０２ａを通過し、鉛直方向に進む電波はカバー３０２の天井３０２ｂを通過する。ただし、本実施形態では、天井３０２ｂが２層構造となっており、さらに厚みが壁３０２ａの厚みの２倍となっている。そのため、天井３０２ｂを通過する電波が壁３０２ａ側に拡散されて、鉛直方向よりも水平方向の指向性が強くなり、無線ＬＡＮにおける望ましい指向性パターンが得られる。また、本実施形態では、このような望ましい指向性パターンが、無線ＬＡＮ用アンテナ１８１自体に手を加えること無く、カバー３０２の天井３０２ｂの構造に対する工夫のみによって得られている。つまり、本実施形態では、このような望ましい指向性パターンが、設置スペースの増加を抑えて容易に得られている。【００６７】
尚、ここまで、無線ＬＡＮにおける望ましい指向性パターンを得るために、アンテナを覆うカバーの天井を２層構造にし、かつ厚みを壁よりも厚くするという例について説明してきたが、本発明はこれに限るものではない。例えば、本発明にいうアンテナカバーは、カバーの天井の形状に以下に説明するような工夫が加えられたものであっても良い。【００６８】
以下、この本発明にいうアンテナカバーの別例について説明する。尚、アンテナカバー以外の部分については、上記に説明した実施形態と同様であるので重複説明を省略する。【００６９】
図１３は、本発明にいうアンテナカバーの別例を示す図である。【００７０】
ここで、この図１３では、上記の図３と同等な要素であるアンテナおよび枠体については、それぞれ図３と同じ符号「１８１」および「３０３」が付されている。【００７１】
この図１３に示すカバー６０１は、図３に示すカバー３０２の壁３０２ａとほぼ同形状の壁６０１ａと、無線ＬＡＮ用アンテナ１８１側に鋸歯状の凹凸６０１ｂ＿１が設けられている天井６０１ｂとを備えているものであり、本発明にいうアンテナカバーの一例に相当する。【００７２】
この図１３に示すカバー６０１では、天井６０１ｂについては、誘電体による作用だけでなく、鋸歯状の凹凸６０１ｂ＿１によって生じる反射や屈折や回折等によっても指向性が弱められることとなる。一方、水平方向に進み壁６０１ａを通過する電波は、誘電体による作用しか受けないので、鉛直方向よりも水平方向の指向性が強くなり、無線ＬＡＮにおける望ましい指向性パターンが得られる。また、この図１３に示す例でも、図３に示す例と同様に、このような望ましい指向性パターンが、無線ＬＡＮ用アンテナ１８１自体に手を加えること無く、カバー６０１の形状についての工夫のみで得られている。つまり、この図１３に示す例でも、図３に示す例と同様に、望ましい指向性パターンが、設置スペースの増加を抑えて容易に得られる。【００７３】
このように、図１３の別例は、天井６０１ｂに向かう電波を鋸歯状の凹凸６０１ｂ＿１によって拡散させることで水平方向に望ましい指向性パターンを得るものである。以下では、アンテナカバーにおけるこのような鋸歯状の凹凸が電波を拡散させることに有効であることを実証するために、本発明の発明者によって行われた実験について説明する。【００７４】
この実験では、ノートＰＣにおける実際の無線ＬＡＮ用アンテナに対する効果を得るために、上記の図４から図６に示すような単独の無線ＬＡＮ用アンテナではなく、無線ＬＡＮ用アンテナが搭載されたノートＰＣが使われる。また、このノートＰＣは、図１に示すように無線ＬＡＮ用アンテナが１個搭載されたものではなく、以下に説明するように無線ＬＡＮ用アンテナが２個搭載されたものである。【００７５】
図１４は、アンテナカバーにおける鋸歯状の凹凸が電波を拡散させることに有効であることを実証するための実験に使用されたノートＰＣの外観図である。【００７６】
ここで、この図１４に示すノートＰＣ７００は、無線ＬＡＮ用アンテナが２個搭載されていること、及び、無線ＬＡＮ用アンテナを覆うカバーの構造が図１とは異なっていること以外は、図１に示すノートＰＣ１００と同じであるので、以下では、この相違点について説明し重複説明は省略する。【００７７】
このノートＰＣ７００には、図１に示すノートＰＣ１００に組み込まれている無線ＬＡＮ用アンテナ１８１と同等の無線ＬＡＮ用アンテナ７０１が２個搭載されている。この２個の無線ＬＡＮ用アンテナ７０１は、このノートＰＣ７００の蓋部７５０の、開いた状態における上部左側の端部および上部右側の端部それぞれに内蔵されている。【００７８】
ここで、このノートＰＣ７００では、電波の受信時には、左側の無線ＬＡＮ用アンテナ７０１で受信される垂直偏波の電波と水平偏波の電波、および右側の無線ＬＡＮ用アンテナ７０１で受信される垂直偏波の電波と水平偏波の電波という合計４種類の電波のうち、強度が最も大きい電波を受信電波として採用するというダイバーシティ制御が実行される。また、このダイバーシティ制御では、電波の送信時には、２個の無線ＬＡＮ用アンテナ７０１のうち、直前に最も強い電波を受信した無線ＬＡＮ用アンテナ７０１が送信用として採用される。【００７９】
また、この図１４に示すノートＰＣ７００において無線ＬＡＮ用アンテナ７０１を覆うカバーは、図３に示すカバー３０２とは異なり、カバーの天井がカバーの壁と同じ構造を有した単純なものである。【００８０】
ここでの実験では、まず、この図１４に示すノートＰＣ７００における電波の指向性パターンが計測された。【００８１】
図１５は、図１４に示すノートＰＣ７００に対して、２４００ＭＨｚから２５００ＭＨｚまでの間の３種類の周波数について計測された指向性パターンを示す図である。【００８２】
図１５のパート（ａ）、パート（ｂ）、およびパート（ｃ）には、それぞれ２４００ＭＨｚ、２４５０ＭＨｚ、および２５００ＭＨｚの各周波数について、図１４に示すノートＰＣ７００における右側の無線ＬＡＮ用アンテナ７０１について計測された垂直偏波の指向性パターンＰＶと水平偏波の指向性パターンＰＨとが示されており、パート（ｄ）、パート（ｅ）、およびパート（ｆ）にはこれら３種類の各周波数について、図１４に示すノートＰＣ７００における左側の無線ＬＡＮ用アンテナ７０１について計測された垂直偏波の指向性パターンＰＶと水平偏波の指向性パターンＰＨとが示されている。【００８３】
ここで、図１５のパート（ａ）、パート（ｂ）、およびパート（ｃ）の指向性パターンの計測は、右側の無線ＬＡＮ用アンテナ７０１のみに送信用の電力信号を供給することで行われ、パート（ｄ）、パート（ｅ）、およびパート（ｆ）の指向性パターンの計測は、左側の無線ＬＡＮ用アンテナ７０１のみに送信用の電力信号を供給することで行われる。【００８４】
また、図１５のパート（ｇ）、パート（ｈ）、およびパート（ｉ）には、これら３種類の各周波数について、左右両アンテナに対してダイバーシティ制御を行ったときに得られるであろう指向性パターンが、上記のパート（ａ）〜パート（ｆ）に示す計測結果に基づく計算によって算出されて示されている。この計算では、まず、互いに対応する周波数についての左右両アンテナそれぞれの垂直偏波の指向性パターンＰＶを互いに比較して各パターンの値のうち大きい方の値を採用するという処理が、ＸＹ平面における３６０度にわたって実行されることでダイバーシティ制御下での垂直偏波の指向性パターンＰＶＤが作成される。また、同様の処理が、互いに対応する周波数についての左右両アンテナそれぞれの水平偏波の指向性パターンＰＨについても実行されてダイバーシティ制御下での水平偏波の指向性パターンＰＨＤが作成される。さらに、各周波数について、ダイバーシティ制御下での２種類の指向性パターンＰＶＤ，ＰＨＤを互いに比較して各パターンの値のうち大きい方の値を採用するという処理が、ＸＹ平面における３６０度にわたって実行されることでダイバーシティ制御下での最終的な指向性パターンＰＤが作成される。この図１５のパート（ｇ）、パート（ｈ）、およびパート（ｉ）では、ダイバーシティ制御下での垂直偏波の指向性パターンＰＶＤは、ダイバーシティ制御下での最終的な指向性パターンＰＤとほとんど重なっている。【００８５】
ここでの実験では、このような計測と計算とが、以下に示すように５６００ＭＨｚまでの周波数について実行された。【００８６】
図１６は、図１４のノートＰＣ７００に対して、２６００ＭＨｚから５２５０ＭＨｚまでの間の３種類の周波数について計測された指向性パターンを示す図であり、図１７は、このノートＰＣ７００に対して、５３５０ＭＨｚから５６００ＭＨｚまでの間の３種類の周波数について計測された指向性パターンを示す図であり、図１８は、このノートＰＣ７００に対して、５７２５ＭＨｚから５８４０ＭＨｚまでの間の３種類の周波数について計測された指向性パターンを示す図である。【００８７】
図１６のパート（ａ）、パート（ｂ）、およびパート（ｃ）には、それぞれ２６００ＭＨｚ、５１５０ＭＨｚ、および５２５０ＭＨｚの各周波数について、図１４に示すノートＰＣ７００における右側の無線ＬＡＮ用アンテナ７０１について計測された垂直偏波の指向性パターンＰＶと水平偏波の指向性パターンＰＨとが示されており、パート（ｄ）、パート（ｅ）、およびパート（ｆ）にはこれら３種類の各周波数について、図１４に示すノートＰＣ７００における左側の無線ＬＡＮ用アンテナ７０１について計測された垂直偏波の指向性パターンＰＶと水平偏波の指向性パターンＰＨとが示されている。さらに、図１６のパート（ｇ）、パート（ｈ）、およびパート（ｉ）には、これら３種類の各周波数について、ダイバーシティ制御下での垂直偏波の指向性パターンＰＶＤ、水平偏波の指向性パターンＰＨＤ、および最終的な指向性パターンＰＤが示されている。【００８８】
また、図１７のパート（ａ）、パート（ｂ）、およびパート（ｃ）には、それぞれ５３５０ＭＨｚ、５４７０ＭＨｚ、および５６００ＭＨｚの各周波数について、図１４に示すノートＰＣ７００における右側の無線ＬＡＮ用アンテナ７０１について計測された垂直偏波の指向性パターンＰＶと水平偏波の指向性パターンＰＨとが示されており、パート（ｄ）、パート（ｅ）、およびパート（ｆ）にはこれら３種類の各周波数について、図１４に示すノートＰＣ７００における左側の無線ＬＡＮ用アンテナ７０１について計測された垂直偏波の指向性パターンＰＶと水平偏波の指向性パターンＰＨとが示されている。さらに、図１７のパート（ｇ）、パート（ｈ）、およびパート（ｉ）には、これら３種類の各周波数について、ダイバーシティ制御下での垂直偏波の指向性パターンＰＶＤ、水平偏波の指向性パターンＰＨＤ、および最終的な指向性パターンＰＤが示されている。【００８９】
また、図１８のパート（ａ）、パート（ｂ）、およびパート（ｃ）には、それぞれ５７２５ＭＨｚ、５７８５ＭＨｚ、および５８４０ＭＨｚの各周波数について、図１４に示すノートＰＣ７００における右側の無線ＬＡＮ用アンテナ７０１について計測された垂直偏波の指向性パターンＰＶと水平偏波の指向性パターンＰＨとが示されており、パート（ｄ）、パート（ｅ）、およびパート（ｆ）にはこれら３種類の各周波数について、図１４に示すノートＰＣ７００における左側の無線ＬＡＮ用アンテナ７０１について計測された垂直偏波の指向性パターンＰＶと水平偏波の指向性パターンＰＨとが示されている。さらに、図１７のパート（ｇ）、パート（ｈ）、およびパート（ｉ）には、これら３種類の各周波数について、ダイバーシティ制御下での垂直偏波の指向性パターンＰＶＤ、水平偏波の指向性パターンＰＨＤ、および最終的な指向性パターンＰＤが示されている。【００９０】
図１６から図１８までの各図においても、図１５と同様に、ダイバーシティ制御下での垂直偏波の指向性パターンＰＶＤは、ダイバーシティ制御下での最終的な指向性パターンＰＤとほとんど重なっている。【００９１】
次に、図１４のノートＰＣ７００において、無線ＬＡＮ用アンテナ７０１が内蔵されている部分を、図５に示す第１の試験用カバーと同等な形状の第３の試験用カバーで覆った状態における指向性パターンが計測された。【００９２】
図１９は、図１４のノートＰＣ７００に第３の試験用カバーを取り付けた状態を示す図である。【００９３】
この図１９に示す第３の試験用カバー８００は、コの字型に成形された厚さ２．５ｍｍの誘電体であり、図１９に示すように、ノートＰＣ７００の蓋部７５０における、無線ＬＡＮ用アンテナ７０１が内蔵されている２箇所の部分それぞれに被せられる。ここでの実験では、この状態での指向性パターンが計測された。【００９４】
図２０は、図１９に示す状態のノートＰＣ７００に対して、２４００ＭＨｚから２５００ＭＨｚまでの間の３種類の周波数について計測された指向性パターンを示す図であり、図２１は、このノートＰＣ７００に対して、２６００ＭＨｚから５２５０ＭＨｚまでの間の３種類の周波数について計測された指向性パターンを示す図であり、図２２は、このノートＰＣ７００に対して、５３５０ＭＨｚから５６００ＭＨｚまでの間の３種類の周波数について計測された指向性パターンを示す図であり、図２３は、このノートＰＣ７００に対して、５７２５ＭＨｚから５８５０ＭＨｚまでの間の３種類の周波数について計測された指向性パターンを示す図である。【００９５】
図２０のパート（ａ）、パート（ｂ）、およびパート（ｃ）には、それぞれ２４００ＭＨｚ、２４５０ＭＨｚ、および２５００ＭＨｚの各周波数について、図１９に示すノートＰＣ７００における右側の無線ＬＡＮ用アンテナ７０１について計測された第３の試験用カバー８００越しの垂直偏波の指向性パターンＰＶと水平偏波の指向性パターンＰＨとが示されており、パート（ｄ）、パート（ｅ）、およびパート（ｆ）にはこれら３種類の各周波数について、図１９に示すノートＰＣ７００における左側の無線ＬＡＮ用アンテナ７０１について計測された第３の試験用カバー８００越しの垂直偏波の指向性パターンＰＶと水平偏波の指向性パターンＰＨとが示されており、パート（ｇ）、パート（ｈ）、およびパート（ｉ）には、これら３種類の各周波数について、ダイバーシティ制御下での垂直偏波の指向性パターンＰＶＤ、水平偏波の指向性パターンＰＨＤ、および最終的な指向性パターンＰＤが示されている。【００９６】
また、図２１のパート（ａ）、パート（ｂ）、およびパート（ｃ）には、それぞれ２６００ＭＨｚ、５１５０ＭＨｚ、および５２５０ＭＨｚの各周波数について、図１９に示すノートＰＣ７００における右側の無線ＬＡＮ用アンテナ７０１について計測された第３の試験用カバー８００越しの垂直偏波の指向性パターンＰＶと水平偏波の指向性パターンＰＨとが示されており、パート（ｄ）、パート（ｅ）、およびパート（ｆ）にはこれら３種類の各周波数について、図１９に示すノートＰＣ７００における左側の無線ＬＡＮ用アンテナ７０１について計測された第３の試験用カバー８００越しの垂直偏波の指向性パターンＰＶと水平偏波の指向性パターンＰＨとが示されており、パート（ｇ）、パート（ｈ）、およびパート（ｉ）には、これら３種類の各周波数について、ダイバーシティ制御下での垂直偏波の指向性パターンＰＶＤ、水平偏波の指向性パターンＰＨＤ、および最終的な指向性パターンＰＤが示されている。【００９７】
また、図２２のパート（ａ）、パート（ｂ）、およびパート（ｃ）には、それぞれ５３５０ＭＨｚ、５４７０ＭＨｚ、および５６００ＭＨｚの各周波数について、図１９に示すノートＰＣ７００における右側の無線ＬＡＮ用アンテナ７０１について計測された第３の試験用カバー８００越しの垂直偏波の指向性パターンＰＶと水平偏波の指向性パターンＰＨとが示されており、パート（ｄ）、パート（ｅ）、およびパート（ｆ）にはこれら３種類の各周波数について、図１９に示すノートＰＣ７００における左側の無線ＬＡＮ用アンテナ７０１について計測された第３の試験用カバー８００越しの垂直偏波の指向性パターンＰＶと水平偏波の指向性パターンＰＨとが示されており、パート（ｇ）、パート（ｈ）、およびパート（ｉ）には、これら３種類の各周波数について、ダイバーシティ制御下での垂直偏波の指向性パターンＰＶＤ、水平偏波の指向性パターンＰＨＤ、および最終的な指向性パターンＰＤが示されている。【００９８】
また、図２３のパート（ａ）、パート（ｂ）、およびパート（ｃ）には、それぞれ５７２５ＭＨｚ、５７８５ＭＨｚ、および５８５０ＭＨｚの各周波数について、図１９に示すノートＰＣ７００における右側の無線ＬＡＮ用アンテナ７０１について計測された第３の試験用カバー８００越しの垂直偏波の指向性パターンＰＶと水平偏波の指向性パターンＰＨとが示されており、パート（ｄ）、パート（ｅ）、およびパート（ｆ）にはこれら３種類の各周波数について、図１９に示すノートＰＣ７００における左側の無線ＬＡＮ用アンテナ７０１について計測された第３の試験用カバー８００越しの垂直偏波の指向性パターンＰＶと水平偏波の指向性パターンＰＨとが示されており、パート（ｇ）、パート（ｈ）、およびパート（ｉ）には、これら３種類の各周波数について、ダイバーシティ制御下での垂直偏波の指向性パターンＰＶＤ、水平偏波の指向性パターンＰＨＤ、および最終的な指向性パターンＰＤが示されている。【００９９】
図２０から図２３までに示す第３の試験用カバー８００越しの各指向性パターンを、図１５から図１８までに示すカバー無しの各指向性パターンと比較すると、カバー無しの各指向性パターンとは形状が異なっている部分が随所に見られる。【０１００】
例えば、図２０のパート（ｃ）における垂直偏波の指向性パターンＰＶの形状は、丸印Ｂ１で囲まれた範囲のパターンが、図１５のパート（ｃ）における同じ範囲のパターンに比べて凹んでおり、その代わりに０°方向および１８０°方向にパターンが膨らんで、全体的に９０°方向に凸の半円形に近づいている。また、図２１のパート（ａ）における垂直偏波の指向性パターンＰＶの形状は、丸印Ｂ２で囲まれた範囲のパターンが、図１６のパート（ａ）における同じ範囲のパターンに比べて膨らんでおり、その代わりに９０°方向および０°方向にパターンが膨らんで、全体的に９０°方向に凸の半円形に近づいている。同様に、図２２のパート（ｃ）、パート（ｅ）、およびパート（ｆ）それぞれにおける各丸印Ｂ３，Ｂ４，Ｂ５、図２３のパート（ａ）、パート（ｄ）、パート（ｅ）、およびパート（ｆ）それぞれにおける各丸印Ｂ３，Ｂ４，Ｂ５，Ｂ７，Ｂ８，Ｂ９で囲まれた範囲のパターン形状に、カバー無しの各指向性パターンの形状との差異が見られる。【０１０１】
これらの差異は、第３の試験用カバー８００によって、カバーを通過する電波が拡散され、右側の無線ＬＡＮ用アンテナ７０１については、パターン形状が総じて９０°方向に凸の半円形に近づき、左側の無線ＬＡＮ用アンテナ７０１については、パターン形状が総じて２７０°方向に凸の半円形に近づいたものと考えられる。また、この結果、ダイバーシティ制御下での最終的な指向性パターンは、総じて円形に近づいている。【０１０２】
次に、ノートＰＣ７００の蓋部７５０における、無線ＬＡＮ用アンテナ７０１が内蔵されている２箇所の部分それぞれに、鋸歯状の凹凸を有する第４の試験用カバーが被せられた状態での指向性パターンが計測された。【０１０３】
図２４は、図１４のノートＰＣ７００に第４の試験用カバーを取り付けた状態を示す図である。【０１０４】
この図２４に示す第４の試験用カバー８５０は、コの字型に成形されさらに外壁に鋸歯状の凹凸が設けられた誘電体である。この第４の試験用カバー８５０の外壁に設けられた鋸歯状の凹凸では、山の頂部の厚みが２．５ｍｍで、谷の底部の厚みが０．７ｍｍとなっている。この実験では、この第４の試験用カバー８５０が、ノートＰＣ７００の蓋部７５０における、無線ＬＡＮ用アンテナ７０１が内蔵されている２箇所の部分それぞれに被せられる。ここでの実験では、この状態での指向性パターンが計測された。【０１０５】
図２５は、図２４に示す状態のノートＰＣ７００に対して、２４００ＭＨｚから２５００ＭＨｚまでの間の３種類の周波数について計測された指向性パターンを示す図であり、図２６は、このノートＰＣ７００に対して、２６００ＭＨｚから５２５０ＭＨｚまでの間の３種類の周波数について計測された指向性パターンを示す図であり、図２７は、このノートＰＣ７００に対して、５３５０ＭＨｚから５６００ＭＨｚまでの間の３種類の周波数について計測された指向性パターンを示す図であり、図２８は、このノートＰＣ７００に対して、５７２５ＭＨｚから５８５０ＭＨｚまでの間の３種類の周波数について計測された指向性パターンを示す図である。【０１０６】
図２５のパート（ａ）、パート（ｂ）、およびパート（ｃ）には、それぞれ２４００ＭＨｚ、２４５０ＭＨｚ、および２５００ＭＨｚの各周波数について、図２４に示すノートＰＣ７００における右側の無線ＬＡＮ用アンテナ７０１について計測された第４の試験用カバー８５０越しの垂直偏波の指向性パターンＰＶと水平偏波の指向性パターンＰＨとが示されており、パート（ｄ）、パート（ｅ）、およびパート（ｆ）にはこれら３種類の各周波数について、図２４に示すノートＰＣ７００における左側の無線ＬＡＮ用アンテナ７０１について計測された第４の試験用カバー８５０越しの垂直偏波の指向性パターンＰＶと水平偏波の指向性パターンＰＨとが示されており、パート（ｇ）、パート（ｈ）、およびパート（ｉ）には、これら３種類の各周波数について、ダイバーシティ制御下での垂直偏波の指向性パターンＰＶＤ、水平偏波の指向性パターンＰＨＤ、および最終的な指向性パターンＰＤが示されている。【０１０７】
また、図２６のパート（ａ）、パート（ｂ）、およびパート（ｃ）には、それぞれ２６００ＭＨｚ、５１５０ＭＨｚ、および５２５０ＭＨｚの各周波数について、図２４に示すノートＰＣ７００における右側の無線ＬＡＮ用アンテナ７０１について計測された第４の試験用カバー８５０越しの垂直偏波の指向性パターンＰＶと水平偏波の指向性パターンＰＨとが示されており、パート（ｄ）、パート（ｅ）、およびパート（ｆ）にはこれら３種類の各周波数について、図２４に示すノートＰＣ７００における左側の無線ＬＡＮ用アンテナ７０１について計測された第４の試験用カバー８５０越しの垂直偏波の指向性パターンＰＶと水平偏波の指向性パターンＰＨとが示されており、パート（ｇ）、パート（ｈ）、およびパート（ｉ）には、これら３種類の各周波数について、ダイバーシティ制御下での垂直偏波の指向性パターンＰＶＤ、水平偏波の指向性パターンＰＨＤ、および最終的な指向性パターンＰＤが示されている。【０１０８】
また、図２７のパート（ａ）、パート（ｂ）、およびパート（ｃ）には、それぞれ５３５０ＭＨｚ、５４７０ＭＨｚ、および５６００ＭＨｚの各周波数について、図２４に示すノートＰＣ７００における右側の無線ＬＡＮ用アンテナ７０１について計測された第４の試験用カバー８５０越しの垂直偏波の指向性パターンＰＶと水平偏波の指向性パターンＰＨとが示されており、パート（ｄ）、パート（ｅ）、およびパート（ｆ）にはこれら３種類の各周波数について、図２４に示すノートＰＣ７００における左側の無線ＬＡＮ用アンテナ７０１について計測された第４の試験用カバー８５０越しの垂直偏波の指向性パターンＰＶと水平偏波の指向性パターンＰＨとが示されており、パート（ｇ）、パート（ｈ）、およびパート（ｉ）には、これら３種類の各周波数について、ダイバーシティ制御下での垂直偏波の指向性パターンＰＶＤ、水平偏波の指向性パターンＰＨＤ、および最終的な指向性パターンＰＤが示されている。【０１０９】
また、図２８のパート（ａ）、パート（ｂ）、およびパート（ｃ）には、それぞれ５７２５ＭＨｚ、５７８５ＭＨｚ、および５８５０ＭＨｚの各周波数について、図２４に示すノートＰＣ７００における右側の無線ＬＡＮ用アンテナ７０１について計測された第３の試験用カバー８００越しの垂直偏波の指向性パターンＰＶと水平偏波の指向性パターンＰＨとが示されており、パート（ｄ）、パート（ｅ）、およびパート（ｆ）にはこれら３種類の各周波数について、図２４に示すノートＰＣ７００における左側の無線ＬＡＮ用アンテナ７０１について計測された第３の試験用カバー８００越しの垂直偏波の指向性パターンＰＶと水平偏波の指向性パターンＰＨとが示されており、パート（ｇ）、パート（ｈ）、およびパート（ｉ）には、これら３種類の各周波数について、ダイバーシティ制御下での垂直偏波の指向性パターンＰＶＤ、水平偏波の指向性パターンＰＨＤ、および最終的な指向性パターンＰＤが示されている。【０１１０】
この図２５から図２８までに示す第４の試験用カバー８５０越しの各指向性パターンについても、図１５から図１８までに示すカバー無しの各指向性パターンと比較すると、カバー無しの各指向性パターンとは形状が異なっている部分が随所に見られる。【０１１１】
例えば、図２６のパート（ｃ）における垂直偏波の指向性パターンＰＶの形状は、丸印Ｃ１で囲まれた範囲のパターンが、図１６のパート（ｃ）における同じ範囲のパターンに比べて膨らんでおり、その代わりに９０方向にパターンが凹んで、全体的に９０°方向に凸の半円形に近づいている。同様に、図２７のパート（ｂ）における丸印Ｃ２、図２８のパート（ｄ）、パート（ｅ）、およびパート（ｆ）それぞれにおける各丸印Ｃ３，Ｃ４，Ｃ５で囲まれた範囲のパターン形状に、カバー無しの各指向性パターンの形状との差異が見られる。さらに、これらの差異は、図２０から図２３までに示す第３の試験用カバー８００越しの各指向性パターンがカバー無しの各指向性パターンに対して有している差異よりも大きい場合が多い。これは、第４の試験用カバー８５０が有する鋸歯状の凹凸によって、電波を拡散させる効果が強められていることによると考えられる。その結果、この第４の試験用カバー８５０越しの各指向性パターンでは、第３の試験用カバー８００越しの各指向性パターンよりもさらに、各無線ＬＡＮ用アンテナ７０１については、パターン形状が半円形に近づき、ダイバーシティ制御下での最終的な指向性パターンは円形に近づいている。【０１１２】
次に、ノートＰＣ７００の蓋部７５０における、無線ＬＡＮ用アンテナ７０１が内蔵されている２箇所の部分それぞれに、鋸歯状の凹凸が、上記の第４の試験用カバーとは異なる箇所に設けられた第５の試験用カバーが被せられた状態での指向性パターンが計測された。【０１１３】
図２９は、図１４のノートＰＣ７００に第５の試験用カバーを取り付けた状態を示す図である。【０１１４】
この図２９に示す第５の試験用カバー９００は、コの字型に成形されさらに内壁に鋸歯状の凹凸が設けられた誘電体である。この第５の試験用カバー９００の内壁に設けられた鋸歯状の凹凸では、山の頂部の厚みが２．５ｍｍで、谷の底部の厚みが０．７ｍｍとなっている。この実験では、この第５の試験用カバー９００が、ノートＰＣ７００の蓋部７５０における、無線ＬＡＮ用アンテナ７０１が内蔵されている２箇所の部分それぞれに被せられる。ここでの実験では、この状態での指向性パターンが計測された。【０１１５】
図３０は、図２９に示す状態のノートＰＣ７００に対して、２４００ＭＨｚから２５００ＭＨｚまでの間の３種類の周波数について計測された指向性パターンを示す図であり、図３１は、このノートＰＣ７００に対して、２６００ＭＨｚから５２５０ＭＨｚまでの間の３種類の周波数について計測された指向性パターンを示す図であり、図３２は、このノートＰＣ７００に対して、５３５０ＭＨｚから５６００ＭＨｚまでの間の３種類の周波数について計測された指向性パターンを示す図であり、図３３は、このノートＰＣ７００に対して、５７２５ＭＨｚから５８５０ＭＨｚまでの間の３種類の周波数について計測された指向性パターンを示す図である。【０１１６】
図３０のパート（ａ）、パート（ｂ）、およびパート（ｃ）には、それぞれ２４００ＭＨｚ、２４５０ＭＨｚ、および２５００ＭＨｚの各周波数について、図２９に示すノートＰＣ７００における右側の無線ＬＡＮ用アンテナ７０１について計測された第５の試験用カバー９００越しの垂直偏波の指向性パターンＰＶと水平偏波の指向性パターンＰＨとが示されており、パート（ｄ）、パート（ｅ）、およびパート（ｆ）にはこれら３種類の各周波数について、図２９に示すノートＰＣ７００における左側の無線ＬＡＮ用アンテナ７０１について計測された第５の試験用カバー９００越しの垂直偏波の指向性パターンＰＶと水平偏波の指向性パターンＰＨとが示されており、パート（ｇ）、パート（ｈ）、およびパート（ｉ）には、これら３種類の各周波数について、ダイバーシティ制御下での垂直偏波の指向性パターンＰＶＤ、水平偏波の指向性パターンＰＨＤ、および最終的な指向性パターンＰＤが示されている。【０１１７】
また、図３１のパート（ａ）、パート（ｂ）、およびパート（ｃ）には、それぞれ２６００ＭＨｚ、５１５０ＭＨｚ、および５２５０ＭＨｚの各周波数について、図２９に示すノートＰＣ７００における右側の無線ＬＡＮ用アンテナ７０１について計測された第５の試験用カバー９００越しの垂直偏波の指向性パターンＰＶと水平偏波の指向性パターンＰＨとが示されており、パート（ｄ）、パート（ｅ）、およびパート（ｆ）にはこれら３種類の各周波数について、図２９に示すノートＰＣ７００における左側の無線ＬＡＮ用アンテナ７０１について計測された第５の試験用カバー９００越しの垂直偏波の指向性パターンＰＶと水平偏波の指向性パターンＰＨとが示されており、パート（ｇ）、パート（ｈ）、およびパート（ｉ）には、これら３種類の各周波数について、ダイバーシティ制御下での垂直偏波の指向性パターンＰＶＤ、水平偏波の指向性パターンＰＨＤ、および最終的な指向性パターンＰＤが示されている。【０１１８】
また、図３２のパート（ａ）、パート（ｂ）、およびパート（ｃ）には、それぞれ５３５０ＭＨｚ、５４７０ＭＨｚ、および５６００ＭＨｚの各周波数について、図２９に示すノートＰＣ７００における右側の無線ＬＡＮ用アンテナ７０１について計測された第５の試験用カバー９００越しの垂直偏波の指向性パターンＰＶと水平偏波の指向性パターンＰＨとが示されており、パート（ｄ）、パート（ｅ）、およびパート（ｆ）にはこれら３種類の各周波数について、図２９に示すノートＰＣ７００における左側の無線ＬＡＮ用アンテナ７０１について計測された第５の試験用カバー９００越しの垂直偏波の指向性パターンＰＶと水平偏波の指向性パターンＰＨとが示されており、パート（ｇ）、パート（ｈ）、およびパート（ｉ）には、これら３種類の各周波数について、ダイバーシティ制御下での垂直偏波の指向性パターンＰＶＤ、水平偏波の指向性パターンＰＨＤ、および最終的な指向性パターンＰＤが示されている。【０１１９】
また、図３３のパート（ａ）、パート（ｂ）、およびパート（ｃ）には、それぞれ５７２５ＭＨｚ、５７８５ＭＨｚ、および５８５０ＭＨｚの各周波数について、図２９に示すノートＰＣ７００における右側の無線ＬＡＮ用アンテナ７０１について計測された第３の試験用カバー８００越しの垂直偏波の指向性パターンＰＶと水平偏波の指向性パターンＰＨとが示されており、パート（ｄ）、パート（ｅ）、およびパート（ｆ）にはこれら３種類の各周波数について、図２９に示すノートＰＣ７００における左側の無線ＬＡＮ用アンテナ７０１について計測された第３の試験用カバー８００越しの垂直偏波の指向性パターンＰＶと水平偏波の指向性パターンＰＨとが示されており、パート（ｇ）、パート（ｈ）、およびパート（ｉ）には、これら３種類の各周波数について、ダイバーシティ制御下での垂直偏波の指向性パターンＰＶＤ、水平偏波の指向性パターンＰＨＤ、および最終的な指向性パターンＰＤが示されている。【０１２０】
この図３０から図３３までに示す第５の試験用カバー９００越しの各指向性パターンについても、図１５から図１８までに示すカバー無しの各指向性パターンと比較すると、カバー無しの各指向性パターンとは形状が異なっている部分が随所に見られる。【０１２１】
例えば、図３１のパート（ａ）における垂直偏波の指向性パターンＰＶの形状は、丸印Ｄ１で囲まれた範囲のパターンが、図１６のパート（ａ）における同じ範囲のパターンに比べて膨らんでおり、その代わりに９０方向にパターンが凹んで、全体的に９０°方向に凸の半円形に近づいている。同様に、図３２のパート（ｂ）、パート（ｅ）、およびパート（ｆ）それぞれにおける各丸印Ｄ２，Ｄ３，Ｄ４で囲まれた範囲のパターン形状に、カバー無しの各指向性パターンの形状との差異が見られる。さらに、これらの差異は、図２０から図２３までに示す第３の試験用カバー８００越しの各指向性パターンがカバー無しの各指向性パターンに対して有している差異よりも大きい場合が多い。これは、図２４の第４の試験用カバー８５０の場合と同様に、第５の試験用カバー９００が有する鋸歯状の凹凸によって電波に対する拡散効果が強められていることによると考えられる。その結果、この第５の試験用カバー９００越しの各指向性パターンでは、第３の試験用カバー８００越しの各指向性パターンよりもさらに、各無線ＬＡＮ用アンテナ７０１については、パターン形状が半円形に近づき、ダイバーシティ制御下での指向性パターンは円形に近づいたものと考えられる。【０１２２】
以上、図１４から図３３を参照して説明した実験により、アンテナカバーに設けられた鋸歯状の凹凸が電波に対して拡散効果を発揮することが分かる。上述した図１３の例では、このような鋸歯状の凹凸６０１ｂ＿１がカバー６０１の天井６０１ｂに設けられている。この鋸歯状の凹凸６０１ｂ＿１によって、天井６０１ｂに向かう電波が拡散されて、鉛直方向よりも水平方向の指向性が強くなり、無線ＬＡＮにおける望ましい指向性パターンが得られることとなる。【０１２３】
また、ここまで、電波に対する拡散効果を発揮するものとして、誘電体の２層構造や厚みの増加、さらに鋸歯状の凹凸という例について説明してきたが、本発明はこれに限るものではない。例えば、このような拡散効果を発揮するものとして、以下に説明するような、四角錐状の凹凸等も挙げられる。【０１２４】
図３４は、四角錐状の凹凸の一例を示す図である。【０１２５】
この図３４には、複数の四角錐が平面に配列されて構成される四角錐状の凹凸９５０が示されており、点線で囲まれた範囲Ｅ内の１つの四角錐９５１が凹凸を構成する四角錐の代表例として示されている。この図３４に示す四角錐状の凹凸９５０が、本発明にいう四角錐状の凹凸の一例に相当する。【０１２６】
このような四角錐状の凹凸９５０も、上記の鋸歯状の凹凸と同様に、この四角錐状の凹凸９５０を通過する電波を反射や屈折や回折等によって拡散させる効果を有している。そして、例えばこのような四角錐状の凹凸９５０をアンテナを覆うカバーの天井に設けることにより、上記の図１３の例と同様に、天井に向かう電波を拡散して、鉛直方向よりも水平方向の指向性を強めて、無線ＬＡＮにおける望ましい指向性パターンを得ることができる。【０１２７】
尚、上記では、本発明の電子装置の一実施形態として、無線ＬＡＮに組み込まれるノートＰＣ１００を例示したが、本発明はこれに限るものではなく、本発明の電子装置は、例えば無線ＬＡＮに組み込まれる一般的なパーソナルコンピュータであっても良く、あるいは外部装置との間で無線通信を行なう何らかの家電製品等であっても良い。【０１２８】
また、上記では、本発明にいうアンテナ本体の一例として、図３に示したような金属プレートを一体成形して得られる無線ＬＡＮ用アンテナ１８１を例示したが、本発明にいうアンテナ本体は、その材質や形状や使用目的が特定されるものでは無く、携帯可能な機器に搭載される一般的なアンテナ等であっても良い。
【図１】
2007100001.tif 000003
【図２】
2007100001.tif 000004
【図３】
2007100001.tif 000005
【図４】
2007100001.tif 000006
【図５】
2007100001.tif 000007
【図６】
2007100001.tif 000008
【図７】
2007100001.tif 000009
【図８】
2007100001.tif 000010
【図９】
2007100001.tif 000011
【図１０】
2007100001.tif 000012
【図１１】
2007100001.tif 000013
【図１２】
2007100001.tif 000014
【図１３】
2007100001.tif 000015
【図１４】
2007100001.tif 000016
【図１５】
2007100001.tif 000017
【図１６】
2007100001.tif 000018
【図１７】
2007100001.tif 000019
【図１８】
2007100001.tif 000020
【図１９】
2007100001.tif 000021
【図２０】
2007100001.tif 000022
【図２１】
2007100001.tif 000023
【図２２】
2007100001.tif 000024
【図２３】
2007100001.tif 000025
【図２４】
2007100001.tif 000026
【図２５】
2007100001.tif 000027
【図２６】
2007100001.tif 000028
【図２７】
2007100001.tif 000029
【図２８】
2007100001.tif 000030
【図２９】
2007100001.tif 000031
【図３０】
2007100001.tif 000032
【図３１】
2007100001.tif 000033
【図３２】
2007100001.tif 000034
【図３３】
2007100001.tif 000035
【図３４】
2007100001.tif 000036
【手続補正書】
【提出日】平成20年8月13日(2008.8.13)
【手続補正１】
【補正対象書類名】特許請求の範囲
【補正対象項目名】全文
【補正方法】変更
【補正の内容】
【特許請求の範囲】
【請求項１】
電子装置に搭載され、その電子装置と、その電子装置の外部との間の電波通信に利用されるアンテナ装置において、
アンテナ本体と、
誘電体で形成された、壁および天井で前記アンテナ本体を覆う、その天井の構造でこのアンテナ装置における前記壁側の電波通信の指向性を強めるアンテナカバーとを備えたことを特徴とするアンテナ装置。
【請求項２】
電波通信を行う電子装置であって、
アンテナ本体と、
誘電体で形成された、壁および天井で前記アンテナ本体を覆う、その天井の構造でこのアンテナ装置における前記壁側の電波通信の指向性を強めるアンテナカバーとを備えたアンテナ装置；
処理部；および
前記処理部の処理の対象である情報を前記アンテナ装置の電波通信で外部と授受する通信部；
を備えたことを特徴とする電子装置。
【請求項３】
前記アンテナカバーが、前記天井として、厚みが前記壁の厚みよりも厚い天井を有するものであることを特徴とする請求項２記載の電子装置。
【請求項４】
前記アンテナカバーが、前記天井として、複数の天井板が重なった天井を有するものであることを特徴とする請求項２記載の電子装置。
【請求項５】
前記アンテナカバーが、前記天井として、前記アンテナ本体側に鋸歯状の凹凸が設けられた天井を有するものであることを特徴とする請求項２記載の電子装置。
【請求項６】
前記アンテナカバーが、前記天井として、前記アンテナ本体側に四角錐状の凹凸が設けられた天井を有するものであることを特徴とする請求項２記載の電子装置。
【請求項７】
前記電子装置が、携帯可能なものであることを特徴とする請求項２乃至６のいずれか１項記載の電子装置。
【請求項８】
前記電子装置が、被載置面を有する本体部と該本体部に対して開閉自在に連結された蓋部とで構成され、前記蓋部に前記アンテナ装置と前記アンテナカバーを内蔵していることを特徴とする請求項２乃至７のいずれか１項記載の電子装置。
【国際調査報告】
2007100001.tif 000037
2007100001.tif 000038
2007100001.tif 000039